(57)【要約】  【課題】  処理槽に開設された処理水のオーバフロー口を覆うフィルタの目詰まりの発生を防止して、フィルタ交換及び清掃を含むメンテナンス作業の負担を軽減し得る生ゴミ処理機を提供する。  【解決手段】  処理槽１の周壁に開設されたオーバフロー口10を覆うフィルタ11の外側の排水室12の内部に、補給水タンク５に連結され、シャワリングポンプ56及び電動弁57を中途に備えるシャワー管58を延出し、このシャワー管58の端部のシャワーヘッド59から噴射される水をフィルタ11の一面に吹き付けて、この一面に付着する捕捉物を洗い流す構成とする。【選択図】      図１
2007069085.tif 000002
【特許請求の範囲】
【請求項１】
処理水を貯留する処理槽内に導入される生ゴミを、前記処理水中に生息する微生物の活動により分解処理する一方、前記処理水の過剰分を、前記処理槽の周壁にフィルタにより覆って開設されたオーバフロー口を経て排水するようにしてある生ゴミ処理機において、  前記フィルタの一面又は両面に水を噴射し、前記一面又は両面を洗浄する洗浄手段を備えることを特徴とする生ゴミ処理機。
【請求項２】
処理水を貯留する処理槽内に導入される生ゴミを、前記処理水中に生息する微生物の活動により分解処理する一方、前記処理水の過剰分を、前記処理槽の周壁にフィルタにより覆って開設されたオーバフロー口を経て排水するようにしてある生ゴミ処理機において、  前記処理槽内部に配してあり、前記処理水を給排して水流を発生し、該処理水を攪拌する攪拌ポンプと、
該攪拌ポンプが発生する水流を前記処理槽の内側に面する前記フィルタの一面に沿わせて流し、該一面を洗浄する洗浄手段とを備えることを特徴とする生ゴミ処理機。
【請求項３】
前記洗浄手段は、前記水流を強化すべく前記攪拌ポンプの回転速度を、所定時間毎に一定時間増加させる制御手段を備える請求項２記載の生ゴミ処理機。
【発明の詳細な説明】
【技術分野】
【０００１】
本発明は、処理槽に投入される生ゴミを、該処理槽内部の処理水中に生息する微生物の活動により分解処理する生ゴミ処理機に関する。
【背景技術】
【０００２】
近年、一般家庭、飲食店等の厨房に発生する生ゴミの処理を目的とした生ゴミ処理機が種々提案されている。この種の生ゴミ処理機の一つとして、適量の処理水を貯留する処理槽の内部に生ゴミを導入し、攪拌手段の動作により前記処理水と共に攪拌して、該処理水中に生息する微生物（食品発酵菌、酵母菌等）の活動により分解処理するように構成されたウェット式の生ゴミ処理機がある（例えば、特許文献１参照）。
【０００３】
なお、処理槽内部の処理水には、例えば、多孔質の発泡体として構成されたバイオ基材を密に浮遊させておくことにより、処理能力を向上させ得ることが知られている。このバイオ基材は、前記微生物の生息域を確保し、処理槽内に投入される生ゴミを留め、微生物との接触機会を高める作用をなすものである。
【０００４】
また処理槽の内部の処理水は、生ゴミの分解処理によって発生する水、また微生物の活性を高めるべく適宜に補給される水、更には、生ゴミを前処理するディスポーザから破砕ゴミと共に導入される水によって経時的に増加することから、処理槽の周壁にオーバフロー口を開設し、所定水位を超えた過剰な処理水を排水するようにしてある。更に、前記オーバフロー口には網状のフィルタを付設し、該フィルタを透過した清浄な水のみを排水して、簡単な後処理の後に下水に放流するようにしてある。
【特許文献１】特開２００２−３３６８３０号公報
【発明の開示】
【発明が解決しようとする課題】
【０００５】
ところが以上の如く構成されたウェット式の生ゴミ処理機において、処理槽内部の処理水中には、未処理の生ゴミを含む多くの異物が混在しており、これらの異物が、オーバフロー口を覆うフィルタに捕捉される結果、該フィルタに早期に目詰まりが発生し、該フィルタの交換及び清掃を含む頻繁なメンテナンス作業を強いられるという問題があった。
【０００６】
この問題は、粗目のフィルタを用いることによって緩和されるが、この場合、下水への放流水に要求されるＢＯＤ（生化学的酸素要求量）の基準を満たすために、オーバフロー水の後処理負担が増大するという不具合が発生する。
【０００７】
本発明は斯かる事情に鑑みてなされたものであり、オーバフロー口を覆うフィルタの一面又は両面に水を噴射することにより捕捉物を洗い流し、該フィルタの目詰まりの発生を防止して、フィルタ交換及び清掃を含むメンテナンス作業の負担を軽減し得る生ゴミ処理機を提供することを目的とする。
【０００８】
また処理水の攪拌のために攪拌ポンプが発生する水流を利用してオーバフロー口を覆うフィルタの内面の捕捉物を洗い流し、該フィルタの目詰まりの発生を防止して、フィルタ交換及び清掃を含むメンテナンス作業の負担を軽減し得る生ゴミ処理機を提供することを目的とする。
【課題を解決するための手段】
【０００９】
本発明に係る生ゴミ処理機は、処理水を貯留する処理槽内に導入される生ゴミを、前記処理水中に生息する微生物の活動により分解処理する一方、前記処理水の過剰分を、前記処理槽の周壁にフィルタにより覆って開設されたオーバフロー口を経て排水するようにしてある生ゴミ処理機において、前記フィルタの一面又は両面に水を噴射し、前記一面又は両面を洗浄する洗浄手段を備えることを特徴とする。
【００１０】
本発明においては、オーバフロー口を覆うフィルタの一面又は両面に水を噴射し、該フィルタに捕捉された異物を洗い流し、該フィルタの目詰まりの発生を防止する。
【００１１】
また本発明に係る生ゴミ処理機は、処理水を貯留する処理槽内に導入される生ゴミを、前記処理水中に生息する微生物の活動により分解処理する一方、前記処理水の過剰分を、前記処理槽の周壁にフィルタにより覆って開設されたオーバフロー口を経て排水するようにしてある生ゴミ処理機において、前記処理槽内部に配してあり、前記処理水を給排して水流を発生し、該処理水を攪拌する攪拌ポンプと、該攪拌ポンプが発生する水流を前記処理槽の内側に面する前記フィルタの一面に沿わせて流し、該一面を洗浄する洗浄手段とを備えることを特徴とし、更に前記洗浄手段が、前記水流を強化すべく前記攪拌ポンプの回転速度を、所定時間毎に一定時間増加させる制御手段を備えることを特徴とする。
【００１２】
本発明においては、処理槽の内部の攪拌ポンプが、処理水の攪拌のために発生する水流をオーバフロー口を覆うフィルタの近傍位置にて処理槽の内周面に衝突させ、前記フィルタの内面に沿わせて流し、前記衝突による処理水の水面の盛り上がりを利用して前記フィルタの内面を洗浄する。更には、攪拌ポンプの回転速度を所定時間毎に一定時間増加し、該攪拌ポンプが発生する水流を強化して、前記衝突により大なる盛り上がりを生じさせて前記フィルタの内面を広範囲に亘って洗浄する。
【発明の効果】
【００１３】
本発明に係る生ゴミ処理機においては、オーバフロー口を覆うフィルタの一面又は両面に水を噴射し、目詰まりの原因となる捕捉物を洗い流すから、長期に亘って安定した運転を継続することができ、目詰まりしたフィルタ交換及び清掃を含むメンテナンス作業の負担を大幅に軽減することができる。
【００１４】
また本発明に係る生ゴミ処理機においては、処理水を攪拌する攪拌ポンプが発生する水流をオーバフロー口を覆うフィルタの内面に沿って流し、目詰まりの原因となる捕捉物を洗い流すようにしたから、フィルタの目詰まりの発生を有効に防止することができ、更には、攪拌ポンプの回転速度を所定時間毎に増加させたから、水流の強化によってフィルタの内面を広範囲に洗浄することができ、長期に亘って安定した運転を継続し、目詰まりしたフィルタ交換及び清掃を含むメンテナンス作業の負担を大幅に軽減することが可能となる等、本発明は優れた効果を奏する。
【発明を実施するための最良の形態】
【００１５】
以下本発明をその実施の形態を示す図面に基づいて詳述する。図１は、本発明に係る生ゴミ処理機の構成を模式的に示す縦断面図である。図中１は処理槽であり、頂部が縮径されたポット形の中空容器として構成されている。
【００１６】
処理槽１の内部には、所定の深さを有して処理水２が貯留されており、該処理水２中には、バイオ基材３，３…が浮遊させてある。これらのバイオ基材３，３…は、後述の如く導入される微生物の生息域を提供すべく多孔質の発泡体として構成されており、処理水２の水面を密に覆うように浮遊させてある。
【００１７】
処理槽１の周壁には、周方向の一か所にオーバフロー口10が開設されており、該オーバフロー口10は、網板を用いてなるフィルタ11により覆われている。処理槽１の外側には、オーバフロー口10の開設位置に面して排水室12が設けられ、該排水室12には、図示しない下水への放流のための排水管13が連結されている。
【００１８】
オーバフロー口10は、これの開口位置を超えた処理水２を排水室12に排出し、処理槽１内に貯留された処理水２の水位を一定に保つべく設けられている。オーバフロー口10を覆うフィルタ11は、処理水中に含まれる異物を捕捉し、排水室12への排水を清浄化すべく作用する。なお排水室12中の排水は、排水管13を経て下水に放流されるが、この放流の前に、曝気槽等の図示しない水処理槽を通し、更に清浄化するのが望ましい。
【００１９】
また処理槽１の周壁には、前記オーバフロー口10と対向する周方向位置であって、該オーバフロー口10よりも上位置に搬送管14の一端が連結されている。該搬送管14の他端は、図示しないディスポーザに連結されており、処理槽１の内部には、ディスポーザの公知の動作により破砕され、搬送用の水と共に搬送管14中を搬送される生ゴミが導入されるように構成してある。なお処理槽１の上部には、蓋板15により開閉自在に覆われた生ゴミの投入口が開設されており、該投入口から直接的に投入される生ゴミの受入れも可能としてある。なおこの投入は、ディスポーザの故障時等、搬送管14による導入がなし得ない状態においてのみ行われる。
【００２０】
一方処理槽１の内部の底板上には、水中ポンプを用いてなる２基の攪拌ポンプ４，４が設置されている。これらの攪拌ポンプ４，４は、底板から適長離隔した下面に開口する図示しない吸込口を備え、また上方に延びる吐出管40，40を備えており、処理槽１の内部の処理水２を吸込口から吸込み、夫々の吐出管40，40の上端から吐き出す動作をなす。
【００２１】
図２は、図１のII−II線による横断面図であり、処理槽１の内部での攪拌ポンプ４，４の平面的な配置が示されている。本図に示す如く処理槽１の周壁に開設されたオーバフロー口10は、周方向に適宜の幅を有しており、前記攪拌ポンプ４，４は、オーバフロー口10の中央を通る処理槽１の中心線の両側に振り分け配置されている。このように配置された攪拌ポンプ４，４の吐出管40，40は、処理槽１の周方向の同向きに屈曲させてあり、また図１に示す如く、処理槽１内部の処理水２の水面下に位置している。
【００２２】
従って攪拌ポンプ４，４が駆動された場合、夫々の吐出管40，40の先端から吐出水の作用により、処理水２中に水流が発生し、これらの水流が処理槽１の内面に衝突して向きを変えて流れ、該処理槽１の内部には、図２中に白抜矢符にて示す如く、時計回りに回転する攪拌流れが発生することなり、処理槽１の内部に前述の如く導入される生ゴミは、処理槽１の内部に貯留された処理水２、及び該処理水２の水面に浮遊するバイオ基材３，３…と共に、前記攪拌流れの作用により攪拌される。
【００２３】
また攪拌ポンプ４，４の吐出管40，40は、図１に示す如く上向きに開口する吐出口を備えており、これらからの吐出流が処理槽１の内面と衝突するとき、この衝突位置近傍の処理水２の水面は盛り上がる。ここで、一方の攪拌ポンプ４（図２における右側の攪拌ポンプ４）の吐出管40は、オーバフロー口10の幅方向一側（攪拌流れの上流側）の端部に向けてあり、この吐出管40からの吐出水流による処理水２の水面の盛り上がりは、オーバフロー口10の攪拌流れの上流側の端部において生じる。
【００２４】
図３は、攪拌流れにより処理水の水面に生じる盛り上がりの作用説明図であり、図中に白抜矢符にて示す吐出流の衝突により、オーバフロー口10の一側において処理水２の水面に生じる盛り上がり2aは、図中に矢符にて示す向きの攪拌流れの作用により、オーバフロー口10を覆うフィルタ11の内面（処理槽１の内側に向いた面）に沿って他側に向けて移行することとなり、これにより、前記内面に付着した異物を洗い流すことができる。
【００２５】
盛り上がり2aの高さは、攪拌ポンプ４の吐出量の増大に応じて大きくなるから、オーバフロー口10に向かう吐出管40を備える攪拌ポンプ４の運転を、例えば、所定時間毎に回転速度を増して一定時間行わせ、該攪拌ポンプ４による吐出水流を強化して高い盛り上がり2aを生ぜしめることにより、前記フィルタ11の内面を定期的に洗浄し、清浄な状態に保つことができる。以上の如き攪拌ポンプ４の運転は、生ゴミ処理機の運転を制御する制御手段の制御動作により行われる。
【００２６】
また本発明に係る生ゴミ処理機は、処理槽１の天板上に固定支持された補給水タンク５を備えている。補給水タンク５は、公知のボールタップ50を介して図示しない水道管に接続されており、補給水タンク５の内部には、水道管から供給される補給水51が前記ボールタップ50の動作により略一定の水位を保って貯留させてある。また補給水タンク５の底部にはヒータ52が配してあり、補給水タンク５の貯留水は、前記ヒータ52の加熱により所定温度に保たれている。
【００２７】
このような補給水タンク５は、中途に電動弁53を備える給水管54を介して処理槽１の内部に連結されており、補給水タンク５の内部の貯留水は、例えば、定期的に実行される電動弁54の開放に応じて給水管54を経て処理槽１の内部に補給されるようにしてある。
【００２８】
また前記補給水タンク５には、シャワリングポンプ56及び電動弁57を中途に備えるシャワー管58が接続されている。シャワー管58は、オーバフロー口10の開設位置に面して処理槽１の外側に設けられた排水室12の内部に延出されており、この延出端には、オーバフロー口10を覆うフィルタ11の外面に向けてシャワーヘッド59が取付けられている。
【００２９】
排水室12内へのシャワー管58の延出部は、図２中にも図示されている。本図に示す如く排水室12は、オーバフロー口10の外側に全幅に亘って設けられている。シャワー管58は、幅方向の一側から排水室12の内部に延出させてあり、該シャワー管58の先端のシャワーヘッド59は、オーバフロー口10を覆うフィルタ11の外面（排水室12側の面）に、幅方向の複数か所（図においては２か所）に夫々対向するように並設されている。
【００３０】
以上の構成により、シャワリングポンプ56が駆動され、電動弁57が開放された場合、補給水タンク５の内部の貯留水は、シャワリングポンプ56の動作により高圧水となってシャワー管58の内部に供給され、該シャワー管58の先端のシャワーヘッド59，59から噴射されて、夫々が対向するフィルタ11の外面に全面に亘って吹き付けられる。これによりフィルタ11の外面に付着した異物を洗い流し、清浄な状態に保つことができる。この洗浄のためのシャワリングポンプ56の駆動及び電動弁57の開放も、攪拌流れによる内面の洗浄の場合と同様、定期的に実施される。
【００３１】
なお、このような水の吹き付けによるフィルタ11の洗浄は、例えば、シャワー管58を処理槽１の内部に延設し、この延設端にシャワーヘッド59を設けることによって、フィルタ11の内面に対しても全く同様に実施可能であり、前述した攪拌流による内面の洗浄と併せて実施することにより洗浄効果を高めることができる。
【００３２】
本発明に係る生ゴミ処理機は、バイオタンク６及びエアポンプ７を更に備えている。バイオタンク６は、バイオポンプ60を中途に備える供給管61により処理槽１の内部に連結されている。バイオタンク６の内部には、食品発酵菌、酵母菌等、有機物を分解する能力を有する微生物を多数含有するバイオ液が貯留されており、このバイオ液は、例えば、定期的に駆動されるバイオポンプ60の動作により供給管61を経て処理槽１内に導入される。
【００３３】
またエアポンプ７は、外気を吸気して処理槽１内に延設された送気管70中に送り出す動作をなすポンプである。送気管70は、処理槽１の底部にまで延長され、底面に沿わせた曝気管71に連設されており、エアポンプ７の動作により吸気される外気は、曝気管71に設けた多数の小孔を経て処理水２内に曝気される。
【００３４】
以上の如く構成された生ゴミ処理機は、処理槽１の内部に予め所定水位の処理水２を貯留し、該処理水２にバイオ基材３，３…を浮遊させた状態で使用される。この状態で図示しない運転スイッチをオン操作すると、バイオタンク６から定量のバイオ液が導入され、また攪拌ポンプ４，４が駆動され、処理水２及びバイオ基材３，３…が所定時間攪拌されて運転準備が完了する。
【００３５】
以上の運転準備動作により、バイオ液中に含有された有機物を分解する微生物が処理槽１内に導入され、攪拌体４の回転により処理水２及びバイオ基材３，３…と共に攪拌される結果、前記微生物は、多孔質の発泡体を用いてなるバイオ基材３，３…を住処として均等に分散された状態にて生息する。
【００３６】
その後、搬送管14を経て生ゴミが導入されると、生ゴミ処理機は処理運転を開始し、攪拌ポンプ４，４の動作により処理水２が周期的に攪拌されて、処理槽１に導入された生ゴミは、処理水２中に取り込まれ、該処理水２中の微生物の活動により、水と炭酸ガスとに分解されて消失する。
【００３７】
このような処理運転中には、処理水２中の微生物の活性を高め、生ゴミの分解処理能力を高く保つことを目的として、補給水タンク５からの補給水51の補給及びエアポンプ７の動作による曝気も所定時間毎に実施される。また以上の処理運転中には、バイオタンク６からのバイオ液の導入も周期的に実施されるが、この導入は、例えば、６時間毎程度の長周期にて行わせれば十分である。
【００３８】
また以上の処理運転中、処理槽１内部の処理水２の水位は、搬送管14を経て生ゴミと共に導入される水、補給水タンク５から補給される補給水51、及び生ゴミの分解により発生する水の影響により上昇するが、この上昇分は、前述の如く、オーバフロー口10を経て排水室12に排出され、排水管13を経て下水に放流される。
【００３９】
このとき、オーバフロー口10を覆うフィルタ11は、処理水２中に混在する未処理の生ゴミ等の異物を捕捉し、排水を清浄化する作用をなすが、該フィルタ11は、自身の捕捉物により目詰まりする虞れがある。本発明に係る生ゴミ処理機においては、前述した如く、攪拌ポンプ４が発生する攪拌流れによりフィルタ11の内面が、またシャワー管58の先端のシャワーヘッド59，59からの噴射水によりフィルタ11の外面（又は両面）が夫々洗浄されるから、該フィルタ11の目詰まりの発生を有効に防止し、長期に亘って安定した運転を継続することが可能となり、フィルタ11の交換及び清掃を含むメンテナンス作業の手間を大幅に軽減することができる。
【図面の簡単な説明】
【００４０】
【図１】本発明に係る生ゴミ処理機の構成を模式的に示す縦断面図である。
【図２】図１のII−II線による横断面図である。
【図３】攪拌流れにより処理水の水面に生じる盛り上がりの作用説明図である。
【符号の説明】
【００４１】
１    処理槽
２    処理水
４    攪拌ポンプ
５    補給水タンク
10    オーバフロー口
11    フィルタ
56    シャワリングポンプ
57    電動弁
58    シャワー管
59    シャワーヘッド
【図１】
2007069085.tif 000003
【図２】
2007069085.tif 000004
【図３】
2007069085.tif 000005